(57)【要約】  可撓性チューブのクランプを常時良好に行わせることができ、より正確に可撓性チューブ内の流体の流れを遮断させることができるクランプ装置を提供する。  先端に被係止部５が形成された一端部２と、被係止部５を係止可能な係止部６が形成された他端部３と、第１凸部２ａと第２凸部３ａとの間に可撓性チューブＴを挿通させ得る挿通孔Ｈ１、Ｈ２とを具備し、クランプ状態で第１凸部２ａと第２凸部３ａとが近接して可撓性チューブＴをクランプし、その部位における流体の流れを遮断するクランプ装置１において、他端部３に干渉部７が形成されるとともに、被係止部５が係止部６に係止された状態で一端部２を更に押圧させたとき、干渉部７が所定部位Ｐ１と干渉して当該被係止部５の移動を規制し得るものである。
2016125820.tif 000002
【特許請求の範囲】
【請求項１】
内側に第１凸部が形成されるとともに、先端に被係止部が形成された一端部と、
前記第１凸部に対向する部位に第２凸部が形成されるとともに、前記被係止部を係止可能な係止部が形成された他端部と、
前記一端部及び他端部に連なる中間部と、
前記第１凸部と第２凸部との間に可撓性チューブを挿通させ得る挿通孔と、
を具備し、前記一端部を押圧して前記他端部に近接させることにより前記被係止部を係止部に係止させたクランプ状態とし、前記他端部を撓ませることにより前記係止部による被係止部の係止を解除して非クランプ状態とし得るとともに、前記クランプ状態で前記第１凸部と第２凸部とが近接して前記可撓性チューブをクランプし、その部位における流体の流れを遮断するクランプ装置において、
前記一端部又は他端部に干渉部が形成されるとともに、前記被係止部が係止部に係止された状態で前記一端部を更に押圧させたとき、前記干渉部が干渉して当該被係止部の移動を規制し得ることを特徴とするクランプ装置。
【請求項２】
前記干渉部は、前記他端部における前記係止部の近傍に形成された凸部から成り、前記被係止部が係止部に係止された状態で前記一端部を更に押圧させたとき、当該凸部が前記一端部の所定部位に干渉し得ることを特徴とする請求項１記載のクランプ装置。
【請求項３】
前記干渉部は、前記一端部における前記被係止部の近傍に形成された凸部から成り、前記被係止部が係止部に係止された状態で前記一端部を更に押圧させたとき、当該凸部が前記他端部の所定部位に干渉し得ることを特徴とする請求項１記載のクランプ装置。
【請求項４】
前記被係止部を係合部に係止させて可撓性チューブをクランプした状態で、当該可撓性チューブの長手方向に対する前記第１凸部及び第２凸部の相対的位置決めが可能な位置決め部を備えたことを特徴とする請求項１〜３の何れか１つに記載のクランプ装置。
【請求項５】
請求項１〜４の何れか１つに記載のクランプ装置が取り付けられたことを特徴とする医療用回路。
【発明の詳細な説明】
【技術分野】
【０００１】
本発明は、可撓性チューブをクランプし、その部位における流体の流れを遮断するクランプ装置に関するものである。
【背景技術】
【０００２】
一般に透析装置等における血液回路は、医療現場における患者の血液や生理食塩液又は投与する薬剤等を流動させる可撓性チューブから主に構成されており、ダイアライザーやエアトラップチャンバといった各構成要素間を連結するものである。かかる可撓性チューブの所望の部位を任意に遮断するためのクランプ装置は、従来、内側に第１凸部が形成されるとともに、先端に被係止部が形成された一端部と、第１凸部に対向する部位に第２凸部が形成されるとともに、被係止部を係止可能な係止部が形成された他端部と、一端部及び他端部に連なる中間部と、第１凸部と第２凸部との間に可撓性チューブを挿通させ得る挿通孔とを具備していた（例えば特許文献１参照）。【０００３】
そして、一端部を押圧して他端部に近接させることにより係止部を被係止部に係止させたクランプ状態とし、他端部を撓ませることにより係止部による被係止部の係止を解除して非クランプ状態とし得るとともに、クランプ状態で第１凸部と第２凸部とが近接して可撓性チューブをクランプし、その部位における流体（血液や整理食塩液等）の流れを任意に遮断することができるようになっていた。
【先行技術文献】
【特許文献】
【０００４】
【特許文献１】特開２００５−２７７２１号公報
【発明の概要】
【発明が解決しようとする課題】
【０００５】
しかしながら、上記従来技術においては、被係止部が係止部に係止された状態で一端部を誤って更に押圧させたとき、係止部以外の意図しない部位に被係止部が引っかかってしまう可能性があり、その場合、クランプ装置全体が変形してその後のクランプ作用に支障が生じる虞があるとともに、クランプする部位が所望よりずれてしまって正常なクランプがなされない虞があった。【０００６】
本発明は、このような事情に鑑みてなされたもので、可撓性チューブのクランプを常時良好に行わせることができ、より正確に可撓性チューブ内の流体の流れを遮断させることができるクランプ装置を提供することにある。
【課題を解決するための手段】
【０００７】
請求項１記載の発明は、内側に第１凸部が形成されるとともに、先端に被係止部が形成された一端部と、前記第１凸部に対向する部位に第２凸部が形成されるとともに、前記被係止部を係止可能な係止部が形成された他端部と、前記一端部及び他端部に連なる中間部と、前記第１凸部と第２凸部との間に可撓性チューブを挿通させ得る挿通孔とを具備し、前記一端部を押圧して前記他端部に近接させることにより前記被係止部を係止部に係止させたクランプ状態とし、前記他端部を撓ませることにより前記係止部による被係止部の係止を解除して非クランプ状態とし得るとともに、前記クランプ状態で前記第１凸部と第２凸部とが近接して前記可撓性チューブをクランプし、その部位における流体の流れを遮断するクランプ装置において、前記一端部又は他端部に干渉部が形成されるとともに、前記被係止部が係止部に係止された状態で前記一端部を更に押圧させたとき、前記干渉部が干渉して当該被係止部の移動を規制し得ることを特徴とする。【０００８】
請求項２記載の発明は、請求項１記載のクランプ装置において、前記干渉部は、前記他端部における前記係止部の近傍に形成された凸部から成り、前記被係止部が係止部に係止された状態で前記一端部を更に押圧させたとき、当該凸部が前記一端部の所定部位に干渉し得ることを特徴とする。【０００９】
請求項３記載の発明は、請求項１記載のクランプ装置において、前記干渉部は、前記一端部における前記被係止部の近傍に形成された凸部から成り、前記被係止部が係止部に係止された状態で前記一端部を更に押圧させたとき、当該凸部が前記他端部の所定部位に干渉し得ることを特徴とする。【００１０】
請求項４記載の発明は、請求項１〜３の何れか１つに記載のクランプ装置において、前記被係止部を係合部に係止させて可撓性チューブをクランプした状態で、当該可撓性チューブの長手方向に対する前記第１凸部及び第２凸部の相対的位置決めが可能な位置決め部を備えたことを特徴とする。【００１１】
請求項５記載の発明は、請求項１〜４の何れか１つに記載のクランプ装置が取り付けられたことを特徴とする医療用回路である。
【発明の効果】
【００１２】
請求項１の発明によれば、一端部又は他端部に干渉部が形成されるとともに、被係止部が係止部に係止された状態で一端部を更に押圧させたとき、干渉部が干渉して当該被係止部の移動を規制し得るので、可撓性チューブのクランプを常時良好に行わせることができ、より正確に可撓性チューブ内の流体の流れを遮断させることができる。【００１３】
請求項２の発明によれば、干渉部は、他端部における係止部の近傍に形成された凸部から成り、被係止部が係止部に係止された状態で一端部を更に押圧させたとき、当該凸部が一端部の所定部位に干渉し得るので、他端部に凸部を形成させることにより可撓性チューブのクランプを常時良好に行わせることができ、より正確に可撓性チューブ内の流体の流れを遮断させることができる。【００１４】
請求項３の発明によれば、干渉部は、一端部における被係止部の近傍に形成された凸部から成り、被係止部が係止部に係止された状態で一端部を更に押圧させたとき、当該凸部が他端部の所定部位に干渉し得るので、一端部に凸部を形成させることにより可撓性チューブのクランプを常時良好に行わせることができ、より正確に可撓性チューブ内の流体の流れを遮断させることができる。【００１５】
請求項４の発明によれば、前記被係止部を係合部に係止させて可撓性チューブをクランプした状態で、当該可撓性チューブの長手方向に対する第１凸部及び第２凸部の相対的位置決めが可能な位置決め部を備えたので、クランプ時の液漏れを防止しつつシール面積を最小限とすることができ、クランプを容易に解除させることができる。【００１６】
請求項５の発明によれば、請求項１〜４の何れか１つに記載のクランプ装置による効果を伴った医療用回路を提供することができる。
【図面の簡単な説明】
【００１７】
【図１】本発明の第１の実施形態に係るクランプ装置を示す斜視図
【図２】同クランプ装置（非クランプ状態）を示す側面図
【図３】同クランプ装置（クランプ状態）を示す側面図
【図４】同クランプ装置（干渉部が干渉した状態）を示す側面図
【図５】同クランプ装置が取り付けられた医療用回路を示す模式図
【図６】本発明の第２の実施形態に係るクランプ装置（非クランプ状態）を示す側面図
【図７】同クランプ装置（クランプ状態）を示す側面図
【図８】同クランプ装置（干渉部が干渉した状態）を示す側面図
【図９】本発明の第３の実施形態に係るクランプ装置（非クランプ状態）を示す側面図
【図１０】同クランプ装置（クランプ状態）を示す側面図
【図１１】同クランプ装置（干渉部が干渉した状態）を示す側面図
【発明を実施するための形態】
【００１８】
以下、本発明の実施形態について図面を参照しながら具体的に説明する。
第１の実施形態に係るクランプ装置１は、可撓性チューブをクランプし、その部位における流体の流れを遮断するもので、図１〜４に示すように、第１凸部２ａが形成された一端部２と、第２凸部３ａが形成された他端部３と、これら一端部２及び他端部３に連なる中間部４とから主に成り、これら部位は所定の樹脂（射出成形等が可能な熱可塑性樹脂が好ましく、例えばポリプロピレン、ポリエチレン又はポリアセタール等が挙げられるが、これに限定されるものではない。）を一体成形して構成されている。なお、図１、２は、クランプ装置１が非クランプ状態のとき、図３はクランプ状態のときを示している。
【００１９】
一端部２は、その内側の面（他端部３と対向する面）から下方に突出形成された第１凸部２ａが一体形成されているとともに、外側の面には作業者がクランプ作業時に指を滑らせないよう凹凸形状が形成されている。また、一端部２の先端には、後述する係止部６によって係止可能な被係止部５が形成されている。他端部３は、第１凸部２ａと対向する部位に第２凸部３ａが一体形成されているとともに、被係止部５を係止し得る係止部６が一体形成されている。
【００２０】
中間部４は、一端部２及び他端部３に連なる部位（一端部２及び他端部３の間の部位）から成り、可撓性チューブＴを挿通させるための一方の挿通孔Ｈ１が形成されている。一方、他端部３は、中間部４から略直線状に延びた部位（第２凸部３ａが形成された部位）とそこから屈曲しつつ立ち上がった部位（係止部６が形成された部位）とを有しており、立ち上がった部位には、可撓性チューブＴを挿通させるための他方の挿通孔Ｈ２が形成されている。
【００２１】
本実施形態に係るクランプ装置１は、図２に示すように、一端部２の先端と他端部３の先端とが離間した非クランプ状態において、一方の挿通孔Ｈ１及び他方の挿通孔Ｈ２に可撓性チューブＴを挿通させた後、一端部２を図２中α方向に押圧して中間部４を撓ませることにより、一端部２を他端部３に近接させると、図３に示すように、係止部６が被係止部５を係止させたクランプ状態となる。かかるクランプ状態においては、第１凸部２ａと第２凸部３ａとが近接して挿通孔Ｈ１、Ｈ２に亘って挿通された可撓性チューブＴをクランプし、その部位における流体の流れを遮断し得るようになっている。
【００２２】
しかるに、図３で示すクランプ状態において、同図中β方向に他端部３を撓ませることによって係止部６による被係止部５の係止を解除し、図２に示す非クランプ状態とすることができる。すなわち、係止部６による被係止部５の係止を解くと、クランプ装置１を構成する樹脂材の復元力によって一端部２の先端と他端部３の先端とが離間する方向に自然と移動するのである。かかる非クランプ状態においては、第１凸部２ａと第２凸部３ａとが離間しており、可撓性チューブＴに対するクランプが解除された状態（非クランプ状態）とされている。
【００２３】
また、本実施形態に係るクランプ装置１においては、他端部３の両側縁に壁部８が一体形成されている。かかる壁部８は、他端部３の両側縁から一端部２に向かって立設された一対の壁形状から成り、挿通孔Ｈ１、Ｈ２に亘って挿通された可撓性チューブＴがその径方向（長手方向と直交する方向）に移動してしまうのを規制し得るようになっている。なお、クランプ状態において、壁部８に一端部２が干渉してしまうのを回避するため、当該一端部２の両側縁には切欠きｍが形成されている。
【００２４】
さらに、本実施形態に係るクランプ装置１に係る壁部８には、一端部２側に開口した凹溝から成る被嵌入部８ａが形成されている。かかる被嵌入部８ａは、図３に示すように、被係止部５を係止部６に係止して可撓性チューブＴがクランプされた状態において、第１凸部２ａの両端部から成る嵌入部２ａａを嵌入可能とされている。すなわち、被係止部５を係止部６に係止させた状態で被嵌入部８ａに嵌入部２ａａが嵌入することにより第１凸部２ａ及び第２凸部３ａの可撓性チューブＴの長手方向に対する相対的位置決めが可能とされているのである。
【００２５】
しかして、本実施形態に係る嵌入部２ａａ及び被嵌入部８ａは、本発明の「位置決め部」を構成しており、被係止部５を係合部６に係止させて可撓性チューブＴをクランプした状態で、当該可撓性チューブＴの長手方向（すなわち、第１凸部２ａ及び第２凸部３ａの延設方向と直交する方向であって、図３中左右方向）に対する第１凸部２ａ及び第２凸部３ａの相対的位置決めが可能とされたものである。
【００２６】
このように、嵌入部２ａａ及び被嵌入部８ａから成る位置決め部を有することにより、クランプ時の液漏れを防止しつつシール面積を最小限とすることができ、クランプを容易に解除させることができる。特に、本実施形態に係る位置決め部は、一端部２及び他端部３にそれぞれ形成された嵌入部２ａａ及び被嵌入部８ａから成り、被係止部５を係止部６に係止させた状態で当該被嵌入部８ａに嵌入部２ａａが嵌入することにより第１凸部２ａ及び第２凸部３ａの相対的位置決めが可能とされたので、可撓性チューブＴの長手方向に対する第１凸部２ａ及び第２凸部３ａの相対的位置決めをより確実に行わせることができる。
【００２７】
また、他端部３における側面の縁部から立設した壁部８を有するとともに、当該壁部８に被嵌入部８ａが形成されたので、被嵌入部８ａに対する嵌入をより円滑且つ確実に行わせることができる。なお、壁部８を一端部２における側面の縁部から他端部３に向かって立設させてもよく、この場合、壁部８に凹溝から成る被嵌入部を形成するとともに、当該被嵌入部に嵌入させ得る嵌入部が他端部３側に形成される。
【００２８】
さらに、本実施形態に係る一対の壁部８は、一端部２又は他端部３における両側面の縁部からそれぞれ立設されるとともに、被係止部５を係止部６に係止させる過程で一端部２を案内し得るものとされている。このように、本実施形態に係るクランプ装置１によれば、位置決め部（嵌入部２ａａ及び被嵌入部８ａ）及び壁部８が形成されているので、可撓性チューブＴの長手方向に対する第１凸部２ａ及び第２凸部３ａの相対的位置決めに加え、係止過程において一端部２の案内を行わせることができる。
【００２９】
ここで、本実施形態に係る他端部３には、干渉部７が一体形成されている。かかる干渉部７は、他端部３の先端部における内側の係止部６の近傍に一体形成された凸部から成り、被係止部５が係止部６に係止された状態（図３で示すクランプ状態）で一端部２を更にα方向に押圧させたとき、図４に示すように、干渉部７が一端部２の所定部位Ｐ１に干渉して当該被係止部５の移動を規制し得るよう構成されている。なお、本実施形態における干渉部７が干渉する部位は、一端部２の先端両縁部であって被係止部５の裏面側とされている。
【００３０】
本実施形態に係るクランプ装置１は、図５に示すように、患者の血液を体外循環させるための動脈側血液回路Ｄ１及び静脈側血液回路Ｄ２を有した血液回路（医療用回路）に取り付けられる。すなわち、本クランプ装置１は、動脈側血液回路Ｄ１及び静脈側血液回路Ｄ２の任意流路や分岐した流路に接続され、体外循環する血液や生理食塩液等の流れを遮断し得るようになっている。なお、同図においては、動脈側血液回路Ｄ１から分岐した流路、及び静脈側血液回路Ｄ２に接続された静脈側エアトラップチャンバｆから延設した流路にそれぞれクランプ装置１が取り付けられている。なお、クランプ装置の配設位置は、医療用回路の可撓性チューブであれば何れの位置であってもよい。
【００３１】
しかるに、動脈側血液回路Ｄ１は、その先端に動脈側穿刺針が取付可能なシャントコネクタａを有し、途中に動脈側エアトラップチャンバｅが接続されるとともに、その基端に血液浄化器（ダイアライザ）の動脈側接続部と接続可能なダイアライザ接続部ｃを有している。また、静脈側血液回路Ｄ２は、その先端に静脈側穿刺針が取付可能なシャントコネクタｂを有し、途中に静脈側エアトラップチャンバｆが接続されるとともに、その基端に血液浄化器（ダイアライザ）の静脈側接続部と接続可能なダイアライザ接続部ｄを有している。符号Ｂは、可撓性チューブ内に対して薬剤等を注入又は血液等を採取し得るゴムボタン（混注部材）を示している。
【００３２】
本実施形態によれば、他端部３に干渉部７が形成されるとともに、被係止部５が係止部６に係止された状態で一端部２をα方向に更に押圧させたとき、干渉部７が一端部２の所定部位Ｐ１と干渉して当該被係止部５の移動を規制し得るので、可撓性チューブＴのクランプ時、係止部６以外の意図しない部位に被係止部５が引っかかってしまうのを抑制できる。したがって、可撓性チューブのクランプを常時良好に行わせることができ、より正確に可撓性チューブ内の流体の流れを遮断させることができる。
【００３３】
また、本実施形態に係る干渉部７は、他端部３における係止部６の近傍に形成された凸部から成り、被係止部５が係止部６に係止された状態で一端部２を更にα方向に押圧させたとき、当該凸部が一端部２の所定部位Ｐ１に干渉し得るので、他端部３に凸部を形成させることにより可撓性チューブＴのクランプを常時良好に行わせることができ、より正確に可撓性チューブＴ内の流体の流れを遮断させることができる。さらに、図５に示すように、本実施形態のクランプ装置１が取り付けられた医療用回路によれば、上記の如きクランプ装置１の効果を伴った医療用回路を提供することができる。
【００３４】
次に、本発明の第２の実施形態に係るクランプ装置について説明する。
本実施形態に係るクランプ装置１’は、第１の実施形態と同様、可撓性チューブをクランプし、その部位における流体の流れを遮断するもので、図６〜８に示すように、第１凸部２ａが形成された一端部２と、第２凸部３ａが形成された他端部３と、これら一端部２及び他端部３に連なる中間部４とから主に成り、これら部位は所定の樹脂（射出成形等が可能な熱可塑性樹脂が好ましく、例えばポリプロピレン、ポリエチレン又はポリアセタール等が挙げられるが、これに限定されるものではない。）を一体成形して構成されている。なお、図６は、クランプ装置１’が非クランプ状態のとき、図７はクランプ状態のときを示している。第１の実施形態と同様の部位には、同一の符号を付し、それらの詳細な説明を省略することとする。
【００３５】
本実施形態に係るクランプ装置１’は、図６に示すように、一端部２の先端と他端部３の先端とが離間した非クランプ状態において、一方の挿通孔Ｈ１及び他方の挿通孔Ｈ２に可撓性チューブＴを挿通させた後、一端部２を図６中α方向に押圧して中間部４を撓ませることにより、一端部２を他端部３に近接させると、図７に示すように、係止部６が被係止部５を係止させたクランプ状態となる。一方、図７で示すクランプ状態において、同図中β方向に他端部３を撓ませることによって係止部６による被係止部５の係止を解除し、図６に示す非クランプ状態とすることができる。
【００３６】
本実施形態に係る他端部３には、干渉部９が一体形成されている。かかる干渉部９は、他端部３における内側の第２凸部３ａの近傍に一体形成された凸部（壁状の凸部）から成り、被係止部５が係止部６に係止された状態（図７で示すクランプ状態）で一端部２を更にα方向に押圧させたとき、図８に示すように、干渉部９の突端部が一端部２の所定部位Ｐ１に干渉して当該被係止部５の移動を規制し得るよう構成されている。なお、本実施形態における干渉部９が干渉する部位は、一端部２の先端両縁部であって被係止部５の裏面側とされている。
【００３７】
本実施形態によれば、他端部３に干渉部９が形成されるとともに、被係止部５が係止部６に係止された状態で一端部２をα方向に更に押圧させたとき、干渉部９が一端部２の所定部位Ｐ１と干渉して当該被係止部５の移動を規制し得るので、可撓性チューブＴのクランプ時、係止部６以外の意図しない部位に被係止部５が引っかかってしまうのを抑制できる。したがって、可撓性チューブのクランプを常時良好に行わせることができ、より正確に可撓性チューブ内の流体の流れを遮断させることができる。
【００３８】
また、本実施形態に係る干渉部９は、他端部３における第２凸部３ａの近傍に形成された凸部から成り、被係止部５が係止部６に係止された状態で一端部２を更にα方向に押圧させたとき、当該凸部が一端部２の所定部位Ｐ１に干渉し得るので、他端部３に凸部を形成させることにより可撓性チューブＴのクランプを常時良好に行わせることができ、より正確に可撓性チューブＴ内の流体の流れを遮断させることができる。さらに、図５に示すように、本実施形態のクランプ装置１’が取り付けられた医療用回路とすれば、上記の如きクランプ装置１’の効果を伴った医療用回路を提供することができる。
【００３９】
次に、本発明の第３の実施形態に係るクランプ装置について説明する。
本実施形態に係るクランプ装置１”は、第１、２の実施形態と同様、可撓性チューブをクランプし、その部位における流体の流れを遮断するもので、図９〜１１に示すように、第１凸部２ａが形成された一端部２と、第２凸部３ａが形成された他端部３と、これら一端部２及び他端部３に連なる中間部４とから主に成り、これら部位は所定の樹脂（例えば、ポリプロピレン、オレフィン系樹脂又はポリエチレン等）を一体成形して構成されている。なお、図９は、クランプ装置１”が非クランプ状態のとき、図１０はクランプ状態のときを示している。第１の実施形態と同様の部位には、同一の符号を付し、それらの詳細な説明を省略することとする。
【００４０】
本実施形態に係るクランプ装置１”は、図９に示すように、一端部２の先端と他端部３の先端とが離間した非クランプ状態において、一方の挿通孔Ｈ１及び他方の挿通孔Ｈ２に可撓性チューブＴを挿通させた後、一端部２を図９中α方向に押圧して中間部４を撓ませることにより、一端部２を他端部３に近接させると、図１０に示すように、係止部６が被係止部５を係止させたクランプ状態となる。一方、図１０で示すクランプ状態において、同図中β方向に他端部３を撓ませることによって係止部６による被係止部５の係止を解除し、図９に示す非クランプ状態とすることができる。
【００４１】
本実施形態に係る一端部２には、干渉部１０が一体形成されている。かかる干渉部１０は、一端部２の先端における被係止部５の近傍に一体形成された凸部から成り、被係止部５が係止部６に係止された状態（図１０で示すクランプ状態）で一端部２を更にα方向に押圧させたとき、図１１に示すように、干渉部１０が他端部３の所定部位Ｐ２に干渉して当該被係止部５の移動を規制し得るよう構成されている。なお、本実施形態における干渉部１０が干渉する部位は、他端部３の先端部であって係止部６の反対面側とされている。
【００４２】
本実施形態によれば、一端部２に干渉部１０が形成されるとともに、被係止部５が係止部６に係止された状態で一端部２をα方向に更に押圧させたとき、干渉部１０が他端部３の所定部位Ｐ２と干渉して当該被係止部５の移動を規制し得るので、可撓性チューブＴのクランプ時、係止部６以外の意図しない部位に被係止部５が引っかかってしまうのを抑制できる。したがって、可撓性チューブのクランプを常時良好に行わせることができ、より正確に可撓性チューブ内の流体の流れを遮断させることができる。
【００４３】
また、本実施形態に係る干渉部１０は、一端部２における被係止部５の近傍に形成された凸部から成り、被係止部５が係止部６に係止された状態で一端部２を更にα方向に押圧させたとき、当該凸部が他端部３の所定部位Ｐ２に干渉し得るので、一端部２に凸部を形成させることにより可撓性チューブＴのクランプを常時良好に行わせることができ、より正確に可撓性チューブＴ内の流体の流れを遮断させることができる。さらに、図５に示すように、本実施形態のクランプ装置１”が取り付けられた医療用回路とすれば、上記の如きクランプ装置１”の効果を伴った医療用回路を提供することができる。
【００４４】
なお、本実施形態においては、第１の実施形態と同様、被係止部５を係止部６に係止させた状態で被嵌入部８ａに嵌入部２ａａが嵌入することにより第１凸部２ａ及び第２凸部３ａの可撓性チューブＴの長手方向に対する相対的位置決めが可能とされている。このように、嵌入部２ａａ及び被嵌入部８ａから成る位置決め部を有することにより、クランプ時の液漏れを防止しつつシール面積を最小限とすることができ、クランプを容易に解除させることができる。
【００４５】
以上、本実施形態について説明したが、本発明はこれに限定されず、例えば他端部３に壁部８が形成されないもの、或いは一端部２に壁部８と同様の壁部が形成されたものであってもよい。また、係止部６の形成位置、形状又は突出寸法、或いは被係止部５の形成位置、形状等は、任意設定することができるとともに、干渉部の位置や形状等も任意設定することができる。なお、本発明に係るクランプ装置が取り付けられる医療用回路は、血液回路に限定されず、可撓性チューブを有する種々の医療用回路に適用することができる。
【産業上の利用可能性】
【００４６】
一端部又は他端部に干渉部が形成されるとともに、被係止部が係止部に係止された状態で一端部を更に押圧させたとき、干渉部が干渉して当該被係止部の移動を規制し得るクランプ装置であれば、外観形状が異なるもの或いは他の機能が付加されたもの等にも適用することができる。
【符号の説明】
【００４７】
１、１’、１”  クランプ装置
２    一端部
２ａ  第１凸部
２ａａ  嵌入部（位置決め部）
３    他端部
３ａ  第２凸部
４    中間部
５    被係止部
６    係止部
７    干渉部
８    壁部
８ａ  被嵌入部（位置決め部）
９    干渉部
１０  干渉部
Ｔ    可撓性チューブ
Ｈ１、Ｈ２  挿通孔
【図１】
2016125820.tif 000003
【図２】
2016125820.tif 000004
【図３】
2016125820.tif 000005
【図４】
2016125820.tif 000006
【図５】
2016125820.tif 000007
【図６】
2016125820.tif 000008
【図７】
2016125820.tif 000009
【図８】
2016125820.tif 000010
【図９】
2016125820.tif 000011
【図１０】
2016125820.tif 000012
【図１１】
2016125820.tif 000013
【手続補正書】
【提出日】平成29年1月6日(2017.1.6)
【手続補正１】
【補正対象書類名】明細書
【補正対象項目名】０００７
【補正方法】変更
【補正の内容】
【０００７】
請求項１記載の発明は、内側に第１凸部が形成されるとともに、先端に被係止部が形成された一端部と、前記第１凸部に対向する部位に第２凸部が形成されるとともに、前記被係止部を係止可能な係止部が形成された他端部と、前記一端部及び他端部に連なる中間部と、前記第１凸部と第２凸部との間に可撓性チューブを挿通させ得る挿通孔とを具備し、前記一端部を押圧して前記他端部に近接させることにより前記被係止部を係止部に係止させたクランプ状態とし、前記他端部を撓ませることにより前記係止部による被係止部の係止を解除して非クランプ状態とし得るとともに、前記クランプ状態で前記第１凸部と第２凸部とが近接して前記可撓性チューブをクランプし、その部位における流体の流れを遮断するクランプ装置において、前記一端部又は他端部に干渉部が形成されるとともに、前記被係止部が係止部に係止された状態で前記一端部を更に押圧させたとき、前記干渉部が干渉して当該被係止部の移動を規制し得る構成とされ、且つ、前記干渉部は、前記他端部における前記係止部の近傍に形成された凸部から成り、前記被係止部が係止部に係止された状態で前記一端部を更に押圧させたとき、当該凸部が前記一端部の先端部であって前記被係止部の裏面側の部位に干渉し得ることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２記載の発明は、請求項１記載のクランプ装置において、前記被係止部を係合部に係止させて可撓性チューブをクランプした状態で、当該可撓性チューブの長手方向に対する前記第１凸部及び第２凸部の相対的位置決めが可能な位置決め部を備えたことを特徴とする。
【手続補正５】
【補正対象書類名】明細書
【補正対象項目名】００１１
【補正方法】変更
【補正の内容】
【００１１】
請求項３記載の発明は、請求項１又は請求項２記載のクランプ装置が取り付けられたことを特徴とする医療用回路である。
【手続補正６】
【補正対象書類名】明細書
【補正対象項目名】００１３
【補正方法】変更
【補正の内容】
【００１３】
また、干渉部は、他端部における係止部の近傍に形成された凸部から成り、被係止部が係止部に係止された状態で一端部を更に押圧させたとき、当該凸部が一端部の所定部位に干渉し得るので、他端部に凸部を形成させることにより可撓性チューブのクランプを常時良好に行わせることができ、より正確に可撓性チューブ内の流体の流れを遮断させることができる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項２の発明によれば、前記被係止部を係合部に係止させて可撓性チューブをクランプした状態で、当該可撓性チューブの長手方向に対する第１凸部及び第２凸部の相対的位置決めが可能な位置決め部を備えたので、クランプ時の液漏れを防止しつつシール面積を最小限とすることができ、クランプを容易に解除させることができる。
【手続補正９】
【補正対象書類名】明細書
【補正対象項目名】００１６
【補正方法】変更
【補正の内容】
【００１６】
請求項３の発明によれば、請求項１又は請求項２記載のクランプ装置による効果を伴った医療用回路を提供することができる。
【手続補正１０】
【補正対象書類名】明細書
【補正対象項目名】００１７
【補正方法】変更
【補正の内容】
【００１７】
【図１】本発明の実施形態に係るクランプ装置を示す斜視図
【図２】同クランプ装置（非クランプ状態）を示す側面図
【図３】同クランプ装置（クランプ状態）を示す側面図
【図４】同クランプ装置（干渉部が干渉した状態）を示す側面図
【図５】同クランプ装置が取り付けられた医療用回路を示す模式図
【図６】第１の参考例に係るクランプ装置（非クランプ状態）を示す側面図
【図７】同クランプ装置（クランプ状態）を示す側面図
【図８】同クランプ装置（干渉部が干渉した状態）を示す側面図
【図９】第２の参考例に係るクランプ装置（非クランプ状態）を示す側面図
【図１０】同クランプ装置（クランプ状態）を示す側面図
【図１１】同クランプ装置（干渉部が干渉した状態）を示す側面図
【手続補正１１】
【補正対象書類名】明細書
【補正対象項目名】００１８
【補正方法】変更
【補正の内容】
【００１８】
以下、本発明の実施形態について図面を参照しながら具体的に説明する。
本実施形態に係るクランプ装置１は、可撓性チューブをクランプし、その部位における流体の流れを遮断するもので、図１〜４に示すように、第１凸部２ａが形成された一端部２と、第２凸部３ａが形成された他端部３と、これら一端部２及び他端部３に連なる中間部４とから主に成り、これら部位は所定の樹脂（射出成形等が可能な熱可塑性樹脂が好ましく、例えばポリプロピレン、ポリエチレン又はポリアセタール等が挙げられるが、これに限定されるものではない。）を一体成形して構成されている。なお、図１、２は、クランプ装置１が非クランプ状態のとき、図３はクランプ状態のときを示している。
【手続補正１２】
【補正対象書類名】明細書
【補正対象項目名】００３４
【補正方法】変更
【補正の内容】
【００３４】
次に、第１の参考例に係るクランプ装置について説明する。
本参考例に係るクランプ装置１’は、実施形態と同様、可撓性チューブをクランプし、その部位における流体の流れを遮断するもので、図６〜８に示すように、第１凸部２ａが形成された一端部２と、第２凸部３ａが形成された他端部３と、これら一端部２及び他端部３に連なる中間部４とから主に成り、これら部位は所定の樹脂（射出成形等が可能な熱可塑性樹脂が好ましく、例えばポリプロピレン、ポリエチレン又はポリアセタール等が挙げられるが、これに限定されるものではない。）を一体成形して構成されている。なお、図６は、クランプ装置１’が非クランプ状態のとき、図７はクランプ状態のときを示している。実施形態と同様の部位には、同一の符号を付し、それらの詳細な説明を省略することとする。
【手続補正１３】
【補正対象書類名】明細書
【補正対象項目名】００３５
【補正方法】変更
【補正の内容】
【００３５】
本参考例に係るクランプ装置１’は、図６に示すように、一端部２の先端と他端部３の先端とが離間した非クランプ状態において、一方の挿通孔Ｈ１及び他方の挿通孔Ｈ２に可撓性チューブＴを挿通させた後、一端部２を図６中α方向に押圧して中間部４を撓ませることにより、一端部２を他端部３に近接させると、図７に示すように、係止部６が被係止部５を係止させたクランプ状態となる。一方、図７で示すクランプ状態において、同図中β方向に他端部３を撓ませることによって係止部６による被係止部５の係止を解除し、図６に示す非クランプ状態とすることができる。
【手続補正１４】
【補正対象書類名】明細書
【補正対象項目名】００３６
【補正方法】変更
【補正の内容】
【００３６】
本参考例に係る他端部３には、干渉部９が一体形成されている。かかる干渉部９は、他端部３における内側の第２凸部３ａの近傍に一体形成された凸部（壁状の凸部）から成り、被係止部５が係止部６に係止された状態（図７で示すクランプ状態）で一端部２を更にα方向に押圧させたとき、図８に示すように、干渉部９の突端部が一端部２の所定部位Ｐ１に干渉して当該被係止部５の移動を規制し得るよう構成されている。なお、本参考例における干渉部９が干渉する部位は、一端部２の先端両縁部であって被係止部５の裏面側とされている。
【手続補正１５】
【補正対象書類名】明細書
【補正対象項目名】００３７
【補正方法】変更
【補正の内容】
【００３７】
本参考例によれば、他端部３に干渉部９が形成されるとともに、被係止部５が係止部６に係止された状態で一端部２をα方向に更に押圧させたとき、干渉部９が一端部２の所定部位Ｐ１と干渉して当該被係止部５の移動を規制し得るので、可撓性チューブＴのクランプ時、係止部６以外の意図しない部位に被係止部５が引っかかってしまうのを抑制できる。したがって、可撓性チューブのクランプを常時良好に行わせることができ、より正確に可撓性チューブ内の流体の流れを遮断させることができる。
【手続補正１６】
【補正対象書類名】明細書
【補正対象項目名】００３８
【補正方法】変更
【補正の内容】
【００３８】
また、本参考例に係る干渉部９は、他端部３における第２凸部３ａの近傍に形成された凸部から成り、被係止部５が係止部６に係止された状態で一端部２を更にα方向に押圧させたとき、当該凸部が一端部２の所定部位Ｐ１に干渉し得るので、他端部３に凸部を形成させることにより可撓性チューブＴのクランプを常時良好に行わせることができ、より正確に可撓性チューブＴ内の流体の流れを遮断させることができる。さらに、図５に示すように、本参考例のクランプ装置１’が取り付けられた医療用回路とすれば、上記の如きクランプ装置１’の効果を伴った医療用回路を提供することができる。
【手続補正１７】
【補正対象書類名】明細書
【補正対象項目名】００３９
【補正方法】変更
【補正の内容】
【００３９】
次に、第２の参考例に係るクランプ装置について説明する。
本参考例に係るクランプ装置１”は、実施形態及び第１の参考例と同様、可撓性チューブをクランプし、その部位における流体の流れを遮断するもので、図９〜１１に示すように、第１凸部２ａが形成された一端部２と、第２凸部３ａが形成された他端部３と、これら一端部２及び他端部３に連なる中間部４とから主に成り、これら部位は所定の樹脂（例えば、ポリプロピレン、オレフィン系樹脂又はポリエチレン等）を一体成形して構成されている。なお、図９は、クランプ装置１”が非クランプ状態のとき、図１０はクランプ状態のときを示している。実施形態と同様の部位には、同一の符号を付し、それらの詳細な説明を省略することとする。
【手続補正１８】
【補正対象書類名】明細書
【補正対象項目名】００４０
【補正方法】変更
【補正の内容】
【００４０】
本参考例に係るクランプ装置１”は、図９に示すように、一端部２の先端と他端部３の先端とが離間した非クランプ状態において、一方の挿通孔Ｈ１及び他方の挿通孔Ｈ２に可撓性チューブＴを挿通させた後、一端部２を図９中α方向に押圧して中間部４を撓ませることにより、一端部２を他端部３に近接させると、図１０に示すように、係止部６が被係止部５を係止させたクランプ状態となる。一方、図１０で示すクランプ状態において、同図中β方向に他端部３を撓ませることによって係止部６による被係止部５の係止を解除し、図９に示す非クランプ状態とすることができる。
【手続補正１９】
【補正対象書類名】明細書
【補正対象項目名】００４１
【補正方法】変更
【補正の内容】
【００４１】
本参考例に係る一端部２には、干渉部１０が一体形成されている。かかる干渉部１０は、一端部２の先端における被係止部５の近傍に一体形成された凸部から成り、被係止部５が係止部６に係止された状態（図１０で示すクランプ状態）で一端部２を更にα方向に押圧させたとき、図１１に示すように、干渉部１０が他端部３の所定部位Ｐ２に干渉して当該被係止部５の移動を規制し得るよう構成されている。なお、本参考例における干渉部１０が干渉する部位は、他端部３の先端部であって係止部６の反対面側とされている。
【手続補正２０】
【補正対象書類名】明細書
【補正対象項目名】００４２
【補正方法】変更
【補正の内容】
【００４２】
本参考例によれば、一端部２に干渉部１０が形成されるとともに、被係止部５が係止部６に係止された状態で一端部２をα方向に更に押圧させたとき、干渉部１０が他端部３の所定部位Ｐ２と干渉して当該被係止部５の移動を規制し得るので、可撓性チューブＴのクランプ時、係止部６以外の意図しない部位に被係止部５が引っかかってしまうのを抑制できる。したがって、可撓性チューブのクランプを常時良好に行わせることができ、より正確に可撓性チューブ内の流体の流れを遮断させることができる。
【手続補正２１】
【補正対象書類名】明細書
【補正対象項目名】００４３
【補正方法】変更
【補正の内容】
【００４３】
また、本参考例に係る干渉部１０は、一端部２における被係止部５の近傍に形成された凸部から成り、被係止部５が係止部６に係止された状態で一端部２を更にα方向に押圧させたとき、当該凸部が他端部３の所定部位Ｐ２に干渉し得るので、一端部２に凸部を形成させることにより可撓性チューブＴのクランプを常時良好に行わせることができ、より正確に可撓性チューブＴ内の流体の流れを遮断させることができる。さらに、図５に示すように、本参考例のクランプ装置１”が取り付けられた医療用回路とすれば、上記の如きクランプ装置１”の効果を伴った医療用回路を提供することができる。
【手続補正２２】
【補正対象書類名】明細書
【補正対象項目名】００４４
【補正方法】変更
【補正の内容】
【００４４】
なお、本参考例においては、実施形態と同様、被係止部５を係止部６に係止させた状態で被嵌入部８ａに嵌入部２ａａが嵌入することにより第１凸部２ａ及び第２凸部３ａの可撓性チューブＴの長手方向に対する相対的位置決めが可能とされている。このように、嵌入部２ａａ及び被嵌入部８ａから成る位置決め部を有することにより、クランプ時の液漏れを防止しつつシール面積を最小限とすることができ、クランプを容易に解除させることができる。
【手続補正２３】
【補正対象書類名】明細書
【補正対象項目名】００４６
【補正方法】変更
【補正の内容】
【００４６】
一端部又は他端部に干渉部が形成されるとともに、被係止部が係止部に係止された状態で一端部を更に押圧させたとき、干渉部が干渉して当該被係止部の移動を規制し得る構成とされ、且つ、干渉部は、他端部における係止部の近傍に形成された凸部から成り、被係止部が係止部に係止された状態で一端部を更に押圧させたとき、当該凸部が一端部の先端部であって被係止部の裏面側の部位に干渉し得るクランプ装置であれば、外観形状が異なるもの或いは他の機能が付加されたもの等にも適用することができる。
【手続補正２４】
【補正対象書類名】特許請求の範囲
【補正対象項目名】全文
【補正方法】変更
【補正の内容】
【特許請求の範囲】
【請求項１】
内側に第１凸部が形成されるとともに、先端に被係止部が形成された一端部と、
前記第１凸部に対向する部位に第２凸部が形成されるとともに、前記被係止部を係止可能な係止部が形成された他端部と、
前記一端部及び他端部に連なる中間部と、
前記第１凸部と第２凸部との間に可撓性チューブを挿通させ得る挿通孔と、
を具備し、前記一端部を押圧して前記他端部に近接させることにより前記被係止部を係止部に係止させたクランプ状態とし、前記他端部を撓ませることにより前記係止部による被係止部の係止を解除して非クランプ状態とし得るとともに、前記クランプ状態で前記第１凸部と第２凸部とが近接して前記可撓性チューブをクランプし、その部位における流体の流れを遮断するクランプ装置において、
前記一端部又は他端部に干渉部が形成されるとともに、前記被係止部が係止部に係止された状態で前記一端部を更に押圧させたとき、前記干渉部が干渉して当該被係止部の移動を規制し得る構成とされ、且つ、前記干渉部は、前記他端部における前記係止部の近傍に形成された凸部から成り、前記被係止部が係止部に係止された状態で前記一端部を更に押圧させたとき、当該凸部が前記一端部の先端部であって前記被係止部の裏面側の部位に干渉し得ることを特徴とするクランプ装置。
【請求項２】
前記被係止部を係合部に係止させて可撓性チューブをクランプした状態で、当該可撓性チューブの長手方向に対する前記第１凸部及び第２凸部の相対的位置決めが可能な位置決め部を備えたことを特徴とする請求項１記載のクランプ装置。
【請求項３】
請求項１又は請求項２記載のクランプ装置が取り付けられたことを特徴とする医療用回路。
【国際調査報告】
2016125820.tif 000014
2016125820.tif 000015
2016125820.tif 000016
2016125820.tif 000017